(57)【要約】【課題】従来よりも高い制動力を有する制動装置を備える開口部装置を提供すること。【解決手段】縦材（縦枠２３，方立３）と横材（上枠２１，無目４）により枠組みされた枠体２０と、枠体２０内に納められ、縦材に沿って上下にスライド自在に保持される障子８と、障子８が下方にスライドしたときに、障子８に制動力を作用させる制動装置と、を備える開口部装置１であって、制動装置は、制動力を油圧により発生させる油圧制動装置９３であることを特徴とする開口部装置１である。【選択図】図５
2015178736.tif 000002
【特許請求の範囲】
【請求項１】
縦材と横材により枠組みされた枠体と、
前記枠体内に納められ、前記縦材に沿って上下に移動自在に保持される障子と、
前記障子が下方に移動したときに、該障子に制動力を作用させる制動装置と、を備える開口部装置であって、
前記制動装置は、前記制動力を油圧により発生させる油圧制動装置であることを特徴とする開口部装置。
【請求項２】
前記枠体は、横方向に複数連設され、
前記障子は、複数連設された前記枠体のそれぞれに納められ、
前記制動装置は、複数の前記障子に対して一括で制動力を作用させることを特徴とする請求項１に記載の開口部装置。
【請求項３】
前記開口部装置は、排煙窓装置であることを特徴とする請求項１又は２に記載の開口部装置。
【発明の詳細な説明】
【技術分野】
【０００１】
本発明は、開口部装置に関する。
【背景技術】
【０００２】
従来、店舗等では、火災により発生する煙を排出するための排煙窓が設置されている場合がある。このような排煙窓としては、外倒し方式や内倒し方式の窓が広く知られている。しかしながら、例えば排煙窓として内倒し方式を採用すると、排煙窓の開放時に障子がせり出すためのスペースを店舗内に予め確保する必要があるため、売り場面積が狭くなる。
【０００３】
そこで、障子を縦枠に沿ってスライドさせる上げ下げ方式の排煙窓が提案されている（例えば、特許文献１参照）。このような上げ下げ方式の排煙窓であれば、障子が屋内外にせり出すことを回避できる。
【０００４】
ところで、特許文献１で提案されている上げ下げ方式の排煙窓は、ラッチ機構による障子の係止が解除されると、障子が自重により縦枠に沿って下降する。このとき、障子が横桟等に衝突する際の衝撃を低減させる目的で、ゼンマイバネの復元力を利用した補助機構が設けられている。この補助機構によれば、障子の下降に伴って引き出されたゼンマイバネ状の金属製帯状部材を巻き戻そうとする反力が上向きに作用する結果、障子の下降速度を低下でき、障子が横材に衝突する際の衝撃を低減できるとされている。
【先行技術文献】
【特許文献】
【０００５】
【特許文献１】特許第４８３８３４３号公報
【発明の概要】
【発明が解決しようとする課題】
【０００６】
しかしながら、特許文献１のようなゼンマイバネの復元力を利用した補助機構は、障子ごとに複数設ける必要があり、高い制動力を有しているとは言えなかった。特に、排煙窓が横方向に複数連設された連窓を想定した場合には、より高い制動力を有し、複数の排煙窓を一括で制動制御できる制動装置の開発が求められる。
【０００７】
本発明は上記に鑑みてなされたものであり、その目的は、従来よりも高い制動力を有する制動装置を備える開口部装置を提供することにある。
【課題を解決するための手段】
【０００８】
上記目的を達成するため本発明は、縦材（例えば、後述の縦枠２３，方立３）と横材（例えば、後述の上枠２１，無目４）により枠組みされた枠体（例えば、後述の枠体２０）と、前記枠体内に納められ、前記縦材に沿って上下に移動自在に保持される障子（例えば、後述の障子８）と、前記障子が下方に移動したときに、該障子に制動力を作用させる制動装置と、を備える開口部装置（例えば、後述の開口部装置１）であって、前記制動装置は、前記制動力を油圧により発生させる油圧制動装置（例えば、後述の油圧制動装置９３）であることを特徴とする。
【０００９】
前記枠体は、横方向に複数連設され、前記障子は、複数連設された前記枠体のそれぞれに納められ、前記制動装置は、複数の前記障子に対して一括で制動力を作用させることが好ましい。
【００１０】
前記開口部装置は、排煙窓装置であることが好ましい。
【発明の効果】
【００１１】
本発明によれば、従来よりも高い制動力を有する制動装置を備える開口部装置を提供できる。
【図面の簡単な説明】
【００１２】
【図１】本発明の一実施形態に係る開口部装置を屋内側から見た姿図である。
【図２】上記実施形態に係る開口部装置の縦断面図（図１のＡ−Ａ線断面図）である。
【図３】上記実施形態に係る開口部装置の横断面図（図１のＢ−Ｂ線断面図）である。
【図４】上記実施形態に係る開口部装置の横断面図（図１のＣ−Ｃ線断面図）である。
【図５】オペレータの構成を示す図である。
【図６】オペレータの構成を示す図である。
【図７】障子が順次下降するときの動作を示す図である。
【発明を実施するための形態】
【００１３】
以下、本発明の一実施形態について、図面を参照しながら詳しく説明する。なお、本明細書において、「見付方向」とは、建物に形成された開口部に納められた開口部装置の上枠、下枠、縦枠の長手方向（即ち、ガラス又は障子の面内方向）を意味し、「見込方向」とは、屋内外方向（即ち、奥行き方向）を意味する。
図１は、本実施形態に係る開口部装置１を屋内側から見た姿図である。開口部装置１は、店舗等に設置される排煙機構を有する開口部装置である。
【００１４】
開口部装置１は、建物に形成された開口に納められる。開口部装置１は、建物の開口に取り付けられる窓枠体２を備える。窓枠体２は、上枠２１と、下枠２２と、屋内側から見ての左側の縦枠２３と、図示しない右側の縦枠と、見付方向に並んだ複数の開口部に区画する方立３と、方立３によって形成される開口部を上下に区画する無目４とによって形成され、これら窓枠体２に自動ドアやガラスが嵌め込まれる。
【００１５】
開口部装置１を屋内側から見たときに、左側から３本目の方立までは無目４を境にして上段に排煙窓５１が納められ、下段にＦＩＸ窓５２が納められた排煙窓ユニット５が３ユニット連続して配設される。また、開口部装置１を屋内側から見たときに、左側から３本目の方立３よりも右側には、無目４を境にして上下段にＦＩＸ窓６１，６２が納められたＦＩＸ窓ユニット６が連設される。
【００１６】
図１に示すように、開口部装置１は、屋内側から見て左側の排煙窓ユニット５の上段において、縦材としての縦枠２３及び方立３と、横材としての上枠２１及び無目４と、によりそれぞれ枠組みされた複数の枠体２０が横方向（図１の右方向）に連設される。連設された各枠体２０内には、縦枠２３に沿って上下にスライド自在な障子８が保持される。障子８は、後述する上框８１、下框８２、左框８３及び右框８４により框組みされる。これらについては、後段で詳述する。
【００１７】
開口部装置１は、オペレータ９を備える。オペレータ９は、縦枠２３の屋内側の上端に設けられる。あるいは、方立３に設けてもよい。オペレータ９は、見付方向に延びるワイヤ７の一端を巻き取ったり引き出したりすることで、排煙窓を開閉させる。オペレータ９は、操作引手９１と、上昇ロープ９２と、を備える。オペレータ９の構成については、後段で詳述する。
【００１８】
また、開口部装置１は、複数の滑車部１０を備える。滑車部１０は、後述する上枠２１の下面に取り付けられる第１滑車１０ａと、後述する障子８の上框８１の屋内側面に取り付けられる第２滑車１０ｂと、を備える。この滑車部１０は、排煙窓ユニット５の上段左側の２つの枠体２０ごとに、左右に離間して両端側に２つずつ設けられる。ただし、ＦＩＸ窓６１に隣接する枠体２０の滑車部１０は、第２滑車１０ｂのみが設けられ、ワイヤ７は上枠２１に固定される。滑車部１０の構成については、後段で詳述する。
【００１９】
続いて、図２〜図４により、開口部装置１の屋内側から見て左側の排煙窓ユニット５について詳しく説明する。なお、図２〜図４は、開口部装置１において障子８が閉鎖した状態における断面図である。
図２は、開口部装置１の縦断面図であって、図１のＡ−Ａ線断面図である。図２に示すように、開口部装置１は、上段に位置する障子８に納められたガラス５１ａ及び下段の開口部に納められたガラス５２ａを備える。ガラス５１ａ及びガラス５２ａは単板ガラスである。
【００２０】
図２に示すように、上枠２１は、屋内側に配置される上方に開放された断面コ字状である上枠本体部２１１と、上枠本体部２１１から屋外側に延設され且つ溝２１２ａを形成する上枠延設部２１２と、上枠延設部２１２から屋外側に延設されて下方に屈曲する上枠屈曲部２１３と、を有する。
溝２１２ａは、溝塞ぎ部材２１５によって塞がれる。上枠本体部２１１の下面と溝塞ぎ部材２１５の下面は面一に形成される。上枠屈曲部２１３の下面には、障子８と上枠２１との間に雨水等が浸入することを防ぐための水切り材２１３ａが配置される。
上枠２１は、例えば、アルミニウムを押し出し成型することによって形成することができる。
【００２１】
上枠２１の下面には、第１滑車１０ａが取り付けられる。この第１滑車１０ａは、後述する第２滑車１０ｂに対して枠体２０の外側に配置される。第１滑車１０ａは、見込み方向に延びる軸部１１ａと、回転自在な円盤（索輪）１２ａと、を備える。
軸部１１ａは、上枠２１の下面に取り付けられた、断面視Ｌ字状で横方向に延びる支持具１３ａにねじで固定される。円盤１２ａは、この軸部１１ａにより回転可能に軸支される。円盤１２ａの外周面は、厚み方向の中央部が小径となるようにＶ字状の溝が形成されている。ワイヤ７は、円盤１２ａの上側外周部から右側外周部にかけて巻き掛けられる（図１参照）。ワイヤ７がこのＶ次状の溝に挿入されて巻き掛けられることで、オペレータ９による障子８の開閉動作に応じて、円盤１２ａは回転するとともにその際に生じる負荷を受ける。
【００２２】
無目４は、屋内側に配置され且つ中空部を有するホロー構造である無目本体部４１を有する。無目本体部４１は、屋外側の端部から垂設する垂設部４１ａを有することでガラス５２ａの上端部を保持する溝４１ｂを形成する。
無目４は、例えば、アルミニウムを押し出し成型することによって形成することができる。
【００２３】
下枠２２は、屋内側に配置され且つ中空部を有するホロー構造である下枠本体部２２１と、下枠本体部２２１から屋外側に延設され且つ中空部を有するホロー構造である下枠延設部２２２と、を有する。下枠本体部２２１は、屋外側の上端から立設され且つ後述する溝２２３ａの屋内側の一部を形成する立設部２２１ａを有する。
【００２４】
下枠２２は、アンカー２２５，２２６にそれぞれ係合された水切り材２２７及び支持部材２２８と屋内外方向からビス等の固定具により締結されて支持される。下枠２２は、例えば、アルミニウムを押し出し成型することによって形成することができる。
下枠２２の屋外上側には、下枠延設部２２２に係止されるガラス保持部材２２３が配置される。下枠２２及びガラス保持部材２２３によって、ガラス５２ａの下端部を保持する溝２２３ａが形成される。なお、図示しない右側の縦枠の下部には、キャップ部材が配置される。
【００２５】
ガラス５２ａは、溝２２３ａの内部に配置される支持部材５２ｆによって支持される。ガラス５２ａの上端部は、溝４１ｂ内において、バックアップ材５２ｊ，５２ｊによって挟まれる。更にバックアップ材５２ｊ，５２ｊの下方には、シール材５２ｉ，５２ｉが塗工される。ガラス５２ａの下端部は、溝２２３ａ内において、バックアップ材５２ｇ，５２ｇによって挟まれる。更にバックアップ材５２ｇ，５２ｇの上方には、シール材５２ｈ，５２ｈが塗工される。
【００２６】
図２に示すように、障子８は、屋外側の上方に配置される。
障子８の上框８１は、中空部を有するホロー構造である上框本体部８１１を有する。上框本体部８１１は、屋内側下部から垂設された上框本体垂設部８１１ａと、屋外側上部から立設された上框本体立設部８１１ｂと、屋内側上部から立設され且つ屋内側にモヘア部材８１１ｄが配置された上框本体立設部８１１ｃと、を有する。上框本体立設部８１１ｂは、水切り材２１３ａに当接する。
【００２７】
上框８１の屋内側面には、第２滑車１０ｂが取り付けられる。この第２滑車１０ｂは、上述の第１滑車１０ａに対して枠体２０の内側に配置される。第２滑車１０ｂは、見込み方向に延びる軸部１１ｂと、回転自在な円盤（索輪）１２ｂと、を備える。
軸部１１ｂは、その基端が上框８１の屋内側面にねじで固定される。また、軸部１１ｂの屋内側の先端には、円盤１２ｂを覆う滑車カバー１３ｂが取り付けられている。円盤１２ｂは、この軸部１１ｂにより回転可能に軸支される。円盤１２ｂの外周面は、厚み方向の中央部が小径となるようにＶ字状の溝が形成されている。ワイヤ７は、円盤１２ｂの下側外周部から右側外周部にかけて巻き掛けられる（図１参照）。ワイヤ７がこのＶ次状の溝に挿入されて巻き掛けられることで、オペレータ９による障子８の開閉動作に応じて、円盤１２ｂは回転するとともにその際に生じる負荷を受ける。
【００２８】
上框８１の屋外下側には、上框本体部８１１に係止されるガラス保持部材８１２が配置される。上框８１及びガラス保持部材８１２によって、ガラス５１ａの上端部を保持する溝８１２ａが形成される。
【００２９】
障子８の下框８２は、中空部を有するホロー構造である下框本体部８２１を有する。下框本体部８２１は、屋内側上部から立設された下框本体立設部８２１ａと、屋外側下部から垂設された下框本体垂設部８２１ｂと、屋内側下部から垂設され且つ屋内側にモヘア部材８２１ｄが配置された下框本体垂設部８２１ｃと、を有する。下框本体垂設部８２１ｂの先端及び下框本体垂設部８２１ｃの先端によって、緩衝部材８２１ｅが挟持される。緩衝部材８２１ｅは、障子８の開放時に、縦枠２３及び方立３に配置される図示しない障子落下防止部材に当接する。
【００３０】
下框８２の屋外上側には、下框本体部８２１に係止されるガラス保持部材８２２が配置される。下框８２及びガラス保持部材８２２によって、ガラス５１ａの下端部を保持する溝８２２ａが形成される。
【００３１】
ガラス５１ａは、溝８２２ａの内部に配置される支持部材５１ｆによって支持される。ガラス５１ａの上端部は、溝８１２ａ内において、バックアップ材５１ｊ，５１ｊによって挟まれる。更に屋外側のバックアップ材５１ｊの下方には、シール材５１ｉが塗工される。ガラス５１ａの下端部は、溝８２２ａ内において、バックアップ材５１ｇ，５１ｇによって挟まれる。更に屋外側のバックアップ材５１ｇの上方には、シール材５１ｈが塗工される。
【００３２】
図３は、開口部装置１の横断面図であって、図１のＢ−Ｂ線断面図である。つまり、図３では、排煙窓ユニット５のうち、ＦＩＸ窓５２における横断面図を示す。
縦枠２３は、屋内側に配置される縦枠本体部２３１と、縦枠本体部２３１の屋外側に設けられる縦枠側保持部２３２と、有する。
【００３３】
縦枠本体部２３１は、例えば、断面Ｓ字状に形成される。縦枠本体部２３１には、屋内側から見て右側に開放された溝２３１ａが形成される。
【００３４】
縦枠側保持部２３２は、縦枠本体部２３１の屋外側から延設される。
縦枠側保持部２３２は、縦枠本体部２３１から屋外側に延出する縦枠見込部２３３と、縦枠見込部２３３の先端から見付方向内側（屋内側から見て右側）に延出する縦枠見付部２３４と、を有する。縦枠見付部２３４は、屋内側から見て右側に開放される溝２３４ａを有する。
【００３５】
図３に示すように、方立３は、屋内側に配置される方立本体部３１と、方立本体部３１の屋外側に設けられる方立側保持部３２と、有する。
方立本体部３１は、筒状に形成される。方立本体部３１は、屋内側から見て、右側に配置される第１の方立本体部３１１と、左側に配置される第２の方立本体部３１２と、を有する。第１の方立本体部３１１は、例えば、断面Ｓ字状に形成される。
【００３６】
第１の方立本体部３１１には、屋内側から見て右側に開放された溝３１１ａが形成される。一方、第２の方立本体部３１２には、溝３１１ａとは逆方向に開放された溝３１２ａが形成される。
本実施形態において、隣り合う一対のガラス５２ａ，５２ａは、それぞれ溝３１１ａ，３１２ａに対向する側端部が挿入されて保持される。溝３１１ａと溝３１２ａとでは、溝３１１ａの方が深い溝に形成される。第１の方立本体部３１１及び第２の方立本体部３１２は、それぞれ溝３１１ａ，３１２ａが形成された部位において締結部材としてのビス３１３を用いて締結される。
【００３７】
方立側保持部３２は、第１の方立本体部３１１側の屋外側から延設される。
方立側保持部３２は、方立本体部３１（第１の方立本体部３１１）から屋外側に延出する方立見込部３２１と、方立見込部３２１の先端から見付方向内側にそれぞれ延出する方立見付部３２２，３２３と、を有することで断面Ｔ字状に形成される。方立見付部３２２，３２３は、それぞれ屋内側から見て右側と左側に延出する。方立側保持部３２は、屋内側から見て、右側に開放される溝３２２ａと、左側に開放される溝３２３ａとを有する。
【００３８】
ガラス５２ａの屋内側から見て左側の端部は、溝２３１ａ内において、バックアップ材５２ｂ，５２ｂによって挟まれる。更にバックアップ材５２ｂ，５２ｂの右側には、シール材５２ｃ，５２ｃが塗工される。ガラス５２ａの屋内側から見て右側の端部は、溝３１２ａ内において、バックアップ材５２ｄ，５２ｄによって挟まれる。更にバックアップ材５２ｄ，５２ｄの左には、シール材５２ｅ，５２ｅが塗工される。
【００３９】
図４は、開口部装置１の横断面図であって、図１のＣ−Ｃ線断面図である。つまり、図４では、排煙窓ユニット５のうち、排煙窓５１における横断面図を示す。縦枠２３の構造は、基本的に屋内側から見て方立３の右側の構造と同様である。排煙窓５１部分における縦枠２３及び方立３の構造は、ＦＩＸ窓５２部分における縦枠２３及び方立３の構造と同様であるので、異なる構成、特に障子８について以下に説明する。
【００４０】
図４に示すように縦枠本体部２３１に形成された溝２３１ａは、溝塞ぎ部材２３１ｂによって塞がれる縦枠本体部２３１及び溝塞ぎ部材２３１ｂによって形成される屋内側から見て右側の面は面一である。
方立本体部３１の溝３１１ａ，３１２ａも、溝２３１ａと同様に、溝塞ぎ部材３１１ｂ，３１２ｂによってそれぞれ塞がれる。
また、ＦＩＸ窓５２部分においては、縦枠側保持部２３２及び方立側保持部３２の内側に障子は配置されなかったが、排煙窓５１部分においては、障子８の左框８３及び右框８４がそれぞれ縦枠側保持部２３２及び方立側保持部３２に挿入されることで、障子８は上下にスライド自在に保持されている。
【００４１】
障子８の左框８３は、左框本体８３１と、左框本体８３１に取り付けられる左アタッチメント材８３２と、を有する。左框本体８３１は、ガラス５１ａが嵌め込まれる溝８３１ｂを形成する左框ガラス保持部８３１ａを有する。左アタッチメント材８３２は、左框本体８３１と、縦枠見込部２３３又は方立見込部３２１との間に配置される。左アタッチメント材８３２は、左框ガラス保持部８３１ａの内側から締結部材としてのビス８３１ｃによって左框本体８３１に取り付けられる。
【００４２】
障子８の右框８４は、右框本体８４１と、右框本体８４１に取り付けられる右アタッチメント材８４２と、を有する。右框本体８４１は、ガラス５１ａが嵌め込まれる溝８４１ｂを形成する右框ガラス保持部８４１ａを有する。右アタッチメント材８４２は、右框本体８４１と、方立見込部３２１との間に配置される。右アタッチメント材８４２は、右框ガラス保持部８４１ａの内側から締結部材としてのビス８４１ｃによって右框本体８４１に取り付けられる
【００４３】
ガラス５１ａの屋内側から見て左側の端部は、溝８３１ｂ内において、バックアップ材５１ｂ，５１ｂによって挟まれる。更に屋外側のバックアップ材５１ｂの右側には、シール材５１ｃ，が塗工される。ガラス５１ａの屋内側から見て右側の端部は、溝８４１ｂ内において、バックアップ材５１ｄ，５１ｄによって挟まれる。更に屋外側のバックアップ材５１ｄの左には、シール材５１ｅが塗工される。
【００４４】
次に、オペレータ９について詳しく説明する。
図５及び図６は、オペレータ９の構成を示す図である。具体的には、図５は、オペレータ９のカバー部材９０（図２参照）を取り外した状態を示す図であり、図６は、オペレータ９の筐体９ａから蓋材９ｂを取り外した状態を示す図である。
図５に示すように、オペレータ９は、操作引手９１と、上昇ロープ９２と、油圧制動装置９３と、プーリ９４と、開放レバー９１０と、第１伝達軸９１１と、第２伝達軸９１２と、駆動軸９４１と、ばね材９１４と、を備える。
【００４５】
操作引手９１は、下端に取手が取り付けられたワイヤで構成される（図１参照）。操作引手９１の上端は、開放レバー９１０の一端に連結される。開放レバー９１０は細長状の板材であり、他端に設けられた第１伝達軸９１１を中心として回動可能に軸支される。開放レバー９１０の下部には、ばね材９１４が当接して設けられている。開放レバー９１０の略中央には、長穴９１０ａが形成されており、この長穴９１０ａに第２伝達軸９１２が挿通される。
【００４６】
上昇ロープ９２は、無端ロープで構成される。上昇ロープ９２は、プーリ９４の外周面に巻き掛けられる。プーリ９４の外周面は、厚み方向の中央部が小径となるようにＶ字状の溝が形成されており、この溝に上昇ロープ９２が挿入される。プーリ９４は、駆動軸９４１を中心として回転可能に軸支される。
【００４７】
油圧制動装置９３は、オペレータ９の略中央に設けられる。油圧制動装置９３は、円盤状に形成され、その中心には、後述するワイヤ７を巻き取るドラム９５の回転軸であるドラム軸９５０が挿通される。即ち、油圧制動装置９３は、ドラム９５及びドラム軸９５０の回転に対して制動力を作用させる。
なお、油圧制動装置９３は他の制動装置と比べて小型であるため、オペレータ９も小型化されており、外観意匠性が向上している。
【００４８】
油圧制動装置９３は、油圧により制動力を発生させる。油圧制動装置９３は、円盤状の筐体の内部に、油が封入されるとともに、複数の溝が迷路状に形成されている。具体的には、同心状に形成された複数の溝の側壁が部分的に切り欠かれることで、隣接する溝同士が連通するように形成されている。これにより、円盤状の筐体の内部に封入された粘性を有する油が迷路状の溝内を流通することで、制動力が発生する。油圧制動装置９３は、油圧を利用するため、負荷が大きくなるほど油圧が増大して大きな制動力を発生する。そのため、ドラム９５及びドラム軸９５０の回転を常に一定に制御することが可能となっている。
【００４９】
また図６に示すように、オペレータ９は、ドラム９５と、ドラム軸９５０と、第１伝達歯車９５１と、第２伝達歯車９５２と、第３伝達歯車９５３と、駆動歯車９５４と、リンクプレート９６１と、を備える。
ドラム９５は、ドラム軸９５０を中心として回転可能に軸支される。ドラム９５は、ワイヤ７の巻き軸であり、ワイヤ７がその巻き軸まわりに巻き取られる。ドラム９５の表面側には、後述する各伝達歯車よりも大径のドラム歯車９５ａが設けられている。通常の障子閉鎖時では、ドラム歯車９５ａには後述の第１伝達歯車９５１及び第２伝達歯車９５２が歯合することで、ドラム９５及びドラム軸９５０の回転が規制されている。
【００５０】
第１伝達歯車９５１と第３伝達歯車９５３は、第１伝達軸９１１まわりに設けられ、第１伝達歯車９５１が上方、第３伝達歯車９５３が下方に設けられる。第２伝達歯車９５２は、第２伝達軸９１２まわりに設けられる。駆動歯車９５４は、駆動軸９４１まわりに設けられる。
【００５１】
第１伝達軸９１１及び第２伝達軸９１２は、第１伝達歯車９５１及び第２伝達歯車９５２の下方に設けられた細長い板状のリンクプレート９６１に挿通される。リンクプレート９６１は、第１伝達軸９１１により回動可能に軸支されている。即ち、第２伝達軸９１２及び第２伝達歯車９５２は、このリンクプレート９６１により第１伝達軸９１１を中心として回動可能となっている。
【００５２】
第１伝達歯車９５１は、ドラム歯車９５ａ及び第２伝達歯車９５２と常に歯合する。
第２伝達歯車９５２は、第１伝達歯車９５１と常に歯合する。第２伝達歯車９５２は、リンクプレート９６１の回動動作に応じて、ドラム歯車９５ａと歯合し、またその歯合が解除される。
第３伝達歯車９５３は、駆動歯車９５４と歯合する。
【００５３】
次に、オペレータ９による障子８の開閉動作について、図５〜７を参照して説明する。
ここで、図７は、障子８が順次下降するときの動作を示す図である。
先ず、通常の障子閉鎖時においては、第２伝達歯車９５２がドラム歯車９５ａに歯合しているため、ドラム９５及びドラム軸９５０の回転が規制され、障子８の下降が規制されている。
【００５４】
この状態において、操作者が排煙目的で操作引手９１を下方に引っ張ると、開放レバー９１０によってばね材９１４が押し縮められることで生じる上方への付勢力に抗して、開放レバー９１０が下方に向かって回動する。このとき、開放レバー９１０の長穴９１０ａに挿通されている第２伝達軸９１２が第２伝達歯車９５２とともに下方に向かって回動する。これにより、第２伝達歯車９５２とドラム歯車９５ａの歯合が解除される。
【００５５】
なお、操作引手９１の引っ張り操作を止めると、ばね材９１４の上方への付勢力により、開放レバー９１０は元の位置に戻る。ただし、第２伝達軸９１２が挿通されている長穴９１０ａが所定の長さを有しているため、第２伝達軸９１２と第２伝達歯車９５２は元の位置には戻らず、第２伝達歯車９５２とドラム歯車９５ａの歯合は解除されたままである。
【００５６】
そして、第２伝達歯車９５２とドラム歯車９５ａの歯合が解除されることで、ドラム９５及びドラム軸９５０の回転の規制が解除されるため、障子８は自重により下降し始める。このとき、上枠２１に取り付けられた複数の第１滑車１０ａと、各障子８の上框８１に取り付けられた複数の第２滑車１０ｂには、ワイヤ７が巻き掛けられているため、オペレータ９に最も近い側の障子８から下降し始める。即ち、障子８の下降は、オペレータ９に最も近い障子８から開始され、その障子８の下降が完了したと同時に、隣接する障子８の下降が開始される。このように、順次、障子８が下降することで、排煙窓５１が開放される。
【００５７】
また、障子８が下降し、ドラム９５に巻かれていたワイヤ７が引き出されると同時に、ドラム９５及びドラム軸９５０が回転する。このとき、油圧制動装置９３による制動力が発生し、ドラム９５及びドラム軸９５０の回転速度が低減される。より詳しくは、油圧制動装置９３による制動力は、油圧により発生する制動力であるため、負荷が大きいほど大きな制動力が発生する。これにより、ドラム９５及びドラム軸９５０の回転速度が一定に制御されるため、障子８は一括して一定の速度でゆっくりと順次下降する。
【００５８】
障子８が全て下降し、排煙が完了した後に、操作者が上昇ロープ９２の一方を下方に引っ張ると、プーリ９４が回転する。プーリ９４の回転は、駆動歯車９５４、第３伝達歯車９５３及び第１伝達歯車９５１を介してドラム歯車９５ａに伝達される。このとき、第２伝達軸９１２と第２伝達歯車９５２は元の位置には戻っておらず、第２伝達歯車９５２とドラム歯車９５ａの歯合は解除されたままである。そのため、ドラム９５及びドラム軸９５０が回転し、ワイヤ７が巻き取られることで、障子８が順次上昇して閉鎖される。
【００５９】
本実施形態によれば、以下の効果が奏される。
本実施形態では、枠体２０内の縦枠２３に沿って上下にスライド自在に保持される障子８を設けた。また、この障子８が下方にスライドしたときに、障子８に制動力を作用させる制動装置を、油圧制動装置９３で構成した。
ここで、油圧制動装置９３による制動力は、油圧により発生する制動力であるため、負荷が大きいほど大きな制動力が発生する。これにより、ドラム９５及びドラム軸９５０の回転速度を一定に低減できる。従って本実施形態によれば、障子８を一定の速度でゆっくりと開放させることができ、障子８が横材に衝突する際の衝撃を低減できる。
また、本実施形態によれば、窓の大きさや重量が変化しても常に一定の開放速度を維持できる。
【００６０】
また本実施形態では、油圧制動装置９３を連窓に適用し、複数の障子８に対して一括で制動力を作用させた。これにより、複数の障子の下降を一括して制御でき、１つの制動装置による連窓の一括開放が可能である。
また本実施形態では、油圧制動装置９３を排煙窓装置に適用した。これにより、１つの制動装置による排煙窓の一括開放が可能である。
【００６１】
なお、本発明は上記実施形態に限定されるものではなく、本発明の目的を達成できる範囲内での変形、改良等は本発明に含まれる。
【符号の説明】
【００６２】
１…開口部装置
２…枠体
２１…上枠（横材）
２２…下枠（横材）
２３…縦枠（縦材）
３…方立（縦材）
８…障子
９…オペレータ
９３…油圧制動装置（制動装置）
【図１】
2015178736.tif 000003
【図２】
2015178736.tif 000004
【図３】
2015178736.tif 000005
【図４】
2015178736.tif 000006
【図５】
2015178736.tif 000007
【図６】
2015178736.tif 000008
【図７】
2015178736.tif 000009